(57)【要約】      （修正有）【課題】保安器内の、コンデンサを含む保安回路装置の故障の有無を保安器内から点検する必要なく、外部から容易に認識できる通信用保安器を提供する。【解決手段】基盤とカバー枠２を互いに組合わせて密閉室３を構成し、該密閉室３にコンデンサその他の保安素子を備えた回路装置４を収納したものであって、前記基盤の適所に前記密閉室３と該部とを連通する透孔７を設け、該透孔７を前記密閉室の内部の上昇気圧で破壊される閉塞装置８で閉塞する。そして、該閉塞装置８を外部から視認できる位置に配置する。【選択図】図１
2006278681.tif 000002
【特許請求の範囲】
【請求項１】
基盤とカバー枠を互いに組合わせて密閉室を構成し、該密閉室にコンデンサその他の保安素子を備えた回路装置を収納した通信用保安器において、前記基盤の適所に前記密閉室と外部とを連通する透孔を設け、該透孔を前記密閉室の内部の上昇気圧で破壊される閉塞装置で閉塞すると共に、該閉塞装置を外部から視認できる位置に配置した、通信機器用保安器。
【発明の詳細な説明】
【技術分野】
【０００１】
本発明は、通信施設と加入者側の通信機器との間に介在させ、雷サージ電圧などの異常電圧の、前記通信施設側から前記通信機器への流入を防止するために用いる通信用保安器に関するものである。
【背景技術】
【０００２】
通信用保安器は、アレスタ、チョークコイル或いはコンデンサなどの要素を備えた回路装置によって、通信施設側から通信機器（加入者側）への異常電圧の流入を防ぎ、該異常電圧の流入による通信機器の損傷を防止するものであるが、ケーブルテレビなどの通信機器の損傷は、前記異常電圧に因るばかりでなく、当該機器の経時変化その他を原因とする場合もあり、通信機器が動かなくなったときは、該機器の故障を原因とするものか、通信用保安器の異常電圧による機能低下か不明な場合がある。
【０００３】
従って、通信機器が動かなくなったときは、従来は、通信機器の異常を点検した上、通信用保安器内の電気的素子の損傷（電雷サージ電圧による）を点検するのが一般である。
【発明の開示】
【発明が解決しようとする課題】
【０００４】
従来は、異常電圧によって保安器内の保安素子が損傷を受けても、その損傷を外部から認識できないので、保安の対象物である、機能の停止した（動かなくなった）機器側に原因を求め勝ちで、故障原因の究明に無駄な作業が行われているのが実情である。
【０００５】
本発明は、斯様な常況を勘案し、保安器内の、コンデンサを含む保安装置を内側から点検する必要がなく外部から容易に認識して不必要な通信機器の点検をする必要のない保安器を提供すべく創案したものである。
【課題を解決するための手段】
【０００６】
基盤とカバー枠を互いに組合わせて密閉室を構成し、該密閉室にコンデンサその他の保安素子を備えた回路装置を収納した通信用保安器において、前記基盤の適所に前記密閉室と外部とを連通する透孔を設け、該透孔を前記密閉室の内部の上昇気圧で破壊される閉塞装置で閉塞すると共に、該閉塞装置を外部から視認できる位置に配置した構成とするものである。
【発明の効果】
【０００７】
本発明によれば、落雷などによって密閉室内の回路装置のコンデンサに容量以上の電流が流れたときの高熱によるコンデンサの破壊を、該高熱を原因とする密閉室内部の上昇気圧として、閉塞装置の破壊を視認することにより認識でき、従って、高所に配した保安器に故障原因にあるところ、通信機器に原因をまず求め勝ちであった通信装置の無駄な点検作業を能率化し、実用的な保安器を提供できる。
【実施例】
【０００８】
図面は本発明に係る通信機用保安器の実施例を示し、図１は一部欠截正面図、図２は底面図、図３は図１の一部拡大図、図４は第二実施例の要部の断面図である。
【０００９】
本発明に係る保安器Ａは、円形基板１ａの周端を屈曲して組付け部片１ｂを設けて成る短円筒状の主体枠１Ａの前記組付け部片１ｂの一端部に取付部片１Ｂを延設して構成した、全体として短円筒状の基盤１に、該基盤１の前記組付け部片１ｂをカバー枠２の内側に嵌め込むようにして、該カバー枠２を組付けて密閉室３を設け、該密閉室３内に、前記基盤１の前記円形基板１ａの内側に装置した、コンデンサ、避雷器などの保安素子を備えた保安回路装置４を設け、該回路装置４の出力端子５と入力端子６，６を前記基盤１（の円形基板１ａ）を通じて前記密閉室３外部（外界）に突出させ、該端子５，６に通信施設側の接続端子又は通信機器側の接続端子を接続するようにして用いるものである。
【００１０】
そして、この保安器Ａの基盤１の、円形基板１ａの適所には、透孔７（径５ｍｍ程度）を該基板１ａを内側（密閉室３）から取付筒７ａを打出し成形して設け、該透孔７を取付筒７ａに蓋片８Ａを組付けて構成した閉塞装置８によって閉塞してある。
【００１１】
実施例の蓋片８Ａは、前記基盤１の表面（概し、円形基板１ａ）の色彩と異なり、基盤１側の表面を地として目立つ色彩の合成樹脂製の円筒体で構成し、前記取付筒７ａの外側に嵌合したもので、地震、自動車の走行などによる振動で離れない程度に取付筒７ａに嵌合し、該取付筒７ａで構成する前記透孔７を閉塞したものである。
【００１２】
透孔７を閉塞装置８で閉塞した保安器Ａは、前記取付部片１Ｂを用いて建屋の壁面その他の適所に基盤１の円形基板１ａを下側にして取付け、設置して用い、この状態にあって、閉塞装置８を構成する蓋片８Ａは、基盤１（円形基板１ａ）の表面の色彩に対し顕著な色彩を施してあるので、確実に視認でき、該蓋片８Ａで閉塞した透孔７が閉塞状態であることを認識できるのである。
【００１３】
保安器Ａの斯様な設置状態時に、落雷によって保安器Ａの保安回路装置４中のコンデンサに容量以上の電流が流れ込むと、コンデンサは高熱を発して破壊され（保安回路装置には避雷器を装置して落雷に対処するようにしているが、避雷器があっても破壊されることが多々ある）、その高熱によって保安回路装置４を収設（納）した密閉室３の気圧が上昇し、該上昇気圧が透孔７を通じて蓋片８Ａに負荷され、その結果、蓋片８Ａは取付筒７ａより離脱、飛散し、閉塞装置８は破壊されることになり、該破壊状態すなわち蓋片８Ａの取付筒７ａからの離脱の視認により保安器Ａ内部のコンデンサ等の破壊すなわち保安器Ａ内部の損傷を、該保安器Ａの外部からのみで把握することができるのである。
【００１４】
なお、図４で示す第二実施例は、透孔７を基盤１の円形基板１ａの適所に単に打抜き形成したもので、基板１ａの表面には薄い樹脂シート製のシート状の閉塞片８Ｂを貼着して閉塞装置８とした以外の点は前記第一実施例と同様で、密閉室３内の前記上昇気圧が、閉塞片８Ｂに負荷してこれを破裂（裂傷）させ、閉塞装置８が破壊され、該破壊状態を保安器Ａ外部から視認することにより、第一実施例と同様に保安器Ａ内部の損傷を認識するのである。
【００１５】
閉塞片８Ｂは、第一実施例の蓋片８Ａと同様、基板１ａ表面の色彩と顕著に色分けできる色彩にすることが望ましく、当該色彩によって透孔７の閉塞状態延いては保安器Ａ内部の回路装置４の状態を把握できるのである。
【００１６】
また、蓋片８Ａや閉塞片８Ｂは、実施例の構造、素材を用いる必要はないが、少くも、コンデンサの破壊時に発生する高熱による密閉室内部の上昇気圧の負荷により確実に破壊される閉塞装置８の構成材として選択すべきである。
【図面の簡単な説明】
【００１７】
【図１】一部欠截正面図。
【図２】底面図。
【図３】図１の一部拡大図。
【図４】第二実施例の要部の断面図。
【符号の説明】
【００１８】
１      基盤
２      カバー枠
３      密閉室
７      透孔
８      閉塞装置
【図１】
2006278681.tif 000003
【図２】
2006278681.tif 000004
【図３】
2006278681.tif 000005
【図４】
2006278681.tif 000006